(57)【要約】【課題】  葬礼時の際に行われるいわゆる「香典返し」に用いる適切な包装体であって、一連の返礼品を一体として収容でき、更にその上部に把手部を設けて携行を行いやすくするなど、利用者の利便性を向上させることができるようにした葬礼用包装体の開発を試みたものである。【解決手段】  本発明の葬礼用包装体１は、適宜容積の主収容部Ｒをシート状のカートンブランクＢからを箱状に曲成することによって構成し、この主収容部Ｒの外面側には、ポケット状の副収容部５を設け、更に前記主収容部Ｒ上方には把手部２を前記カートンブランクＢの一部によって構成したことを特徴として成るものである。【選択図】図１
2005186978.tif 000002
【特許請求の範囲】
【請求項１】
適宜容積の主収容部をシート状のカートンブランクを折り曲げて構成し、この主収容部の外面側には、ポケット状の副収容部を設け、更に前記主収容部上方には把手部を前記カートンブランクの一部によって構成したことを特徴とする葬礼用包装体。
【請求項２】
前記カートンブランクは、板紙製であり、主収容部は、偏平な直方箱体状に形成されると共に、その妻部上方には、内折状のガゼットを形成して主収容部を構成している正面板と背面板とを漸次接近させて重ね合わせ、その重ね合わせられた部位にくり抜いた指掛孔を設けることによって把手部を構成したことを特徴とする請求項１記載の葬礼用包装体。
【請求項３】
前記指掛孔は、その正面板又は背面板のいずれか一方の一部を残存させて、閉鎖フラップとし、これを下方に折り返し他の対向する背面板又は正面板に重ね前記主収容部のシールとして用いることを特徴とする請求項１または２記載の葬礼用包装体。
【請求項４】
前記副収容部は、前記カートンブランクの一部に一体的に副収容フラップを設けて、それを正面板に重ね折りして形成されていることを特徴とする請求項１、２または３記載の葬礼用包装体。
【請求項５】
前記副収容フラップは、前面部とその自由端側に順次連接される連結片と差込片とを具え、この差込片を主収容部における対応する部位に設けた受入孔に差し込むことにより係止させることを特徴とする請求項１、２、３または４記載の葬礼用包装体。
【発明の詳細な説明】
【技術分野】
【０００１】
本発明は、例えば葬礼時の際の香典返しと呼ばれる返礼用の品を包装する場合に適切な葬礼用包装体に関するものである。
【背景技術】
【０００２】
我が国の葬礼時の慣行として、参列者に礼状、清め塩、更には日用小物等の贈答品を組み合わせた返礼品を一体に包装して贈ることが行われている。このような葬礼用贈答品の準備は、数量の見通しがつきにくいこと、緊急に手配が求められること等から、合理的に行うことができるようにするための種々の工夫がされている。例えば、本出願人も従来から、贈答品、礼状、清め塩を一体にセットできる包装用箱を開発している（非特許文献１）。
しかしながら、更なる利用者の利便性の向上やアイテムとしての豊富化が求められており、それに応えることのできる包装体が求められていた。
【非特許文献１】意匠登録第９２１４５２号公報
【発明の開示】
【発明が解決しようとする課題】
【０００３】
本発明はこのような背景からなされたものであって、葬礼時の際にいわゆる香典返し用として適切な包装体であって、一連の返礼品を一体として収容でき、更にその上部に把手部を設けて携行を行いやすくするなど、利用者の利便性を向上させることができるようにした葬礼用包装体の開発を試みたものである。
【課題を解決するための手段】
【０００４】
すなわち請求項１記載の葬礼用包装体は、適宜容積の主収容部をシート状のカートンブランクを折り曲げて構成し、この主収容部の外面側には、ポケット状の副収容部を設け、更に前記主収容部上方には把手部を前記カートンブランクの一部によって構成したことを特徴として成るものである。
【０００５】
また請求項２記載の葬礼用包装体は、前記要件に加え、前記カートンブランクは、板紙製であり、主収容部は、偏平な直方箱体状に形成されると共に、その妻部上方には、内折状のガゼットを形成して主収容部を構成している正面板と背面板とを漸次接近させて重ね合わせ、その重ね合わせられた部位にくり抜いた指掛孔を設けることによって把手部を構成したことを特徴として成るものである。
【０００６】
また請求項３記載の葬礼用包装体は、前記要件に加え、前記指掛孔は、その正面板又は背面板のいずれか一方の一部を残存させて、閉鎖フラップとし、これを下方に折り返し他の対向する背面板又は正面板に重ね前記主収容部のシールとして用いることことを特徴として成るものである。
【０００７】
また請求項４記載の葬礼用包装体は、前記要件に加え、前記副収容部は、前記カートンブランクの一部に一体的に副収容フラップを設けて、それを正面板に重ね折りして形成されていることを特徴として成るものである。
【０００８】
また請求項５記載の葬礼用包装体は、前記要件に加え、前記副収容フラップは、前面部とその自由端側に順次連接される連結片と差込片とを具え、この差込片を主収容部における対応する部位に設けた受入孔に差し込むことにより係止させることを特徴として成るものである。
【発明の効果】
【０００９】
まず請求項１記載の発明によれば、極めて簡単な構成で、一連の返礼品をコンパクトに収納することができ、更にその上方に把手部が設けられていることから、利用者も携行する際に容易に保持することができる。
【００１０】
また請求項２記載の発明によれば、主収容部の厚み成分を持たせることができ、平面状の贈答品に限定されず多様な贈答品を包装することができ、更に上部に設けた把手により持ち運びを容易しながら、その把手部により実質的に収容されている贈答品の収納を確実にすることができる。
【００１１】
また請求項３記載の発明によれば、閉鎖フラップにより、主収容部上方の開放部付近を確実に閉じることができ、更にこの閉鎖フラップが把手部の指掛孔の下端部を回り込むように折り重ねていることから、把手部を握る際に指の甲側での接触感を不快なものとしない。
【００１２】
また請求項４記載の発明によれば、副収容部を構成する部材を一連のカートンブランクと共通の単一素材で作ることができる。
【００１３】
また請求項５記載の発明によれば、極めて簡素な構造で副収容部の強度を向上させることができる。
【発明を実施するための最良の形態】
【００１４】
本発明の最適な実施例は、以下の具体的な実施の形態の説明並びに図面に開示されるものである。
【実施例】
【００１５】
以下本発明の実施例を、図面を参照しながら具体的に説明する。符号１は本発明の葬礼用包装体であって、いわゆる香典返しの際に一般的に包装されている礼状Ｃと清め塩Ｓとその他日用小物等の贈答品Ｇを組み合わせ、これらを返礼品Ｆとして一体的に梱包するために用いられるものである。
まず葬礼用包装体１の全体構造について説明するが、説明の便宜上展開状態とした図２に示すカートンブランクＢに従ってその構成を説明する。
【００１６】
カートンブランクＢは、厚板紙を用いるものであって、このものは、縦折線Ｌによって縦方向に仕切られる。この縦折線Ｌの符号については、個別の縦折線Ｌ１〜Ｌ８を総称して説明する場合は明細書中では縦折線Ｌとするものであり、図中には具体的な縦折線Ｌ１〜Ｌ８を用いる。
また、この縦折線Ｌと直交する横折線Ｍが設けられるものである。この横折線Ｍの符号については、個別の横折線Ｍ１〜Ｍ３を総称して説明する場合は明細書中では横折線Ｍとするものであり、図中には具体的な縦折線Ｍ１〜Ｍ３を用いる。また、後述するガゼット部を構成するために斜めの折線Ｎが設けられる。そして、まずこの縦折線Ｌ１〜Ｌ４と横折線Ｍとに仕切られるようにほぼ矩形状の正面板１１、背面板１２と縦長矩形状の妻面板１３、１４が横方向に連設している。
なおここで正面板１１及び背面板１２について「ほぼ矩形状」と説明したのは、これらの上方部分の境界が不明確のままその上方の後述する把手部へ至っているからである。
更にカートンブランクＢにおける正面板１１に連接する一方の端部には、カートンブランクＢを角筒状にサック貼りするためのサイドシールフラップ１６を具える。更に、このサイドシールフラップ１６を具える端部と反対の端部には、副収容フラップ１５が連設されている。
【００１７】
次に本発明が適用される葬礼用包装体１の上方の把手部２について説明する。
把手部２は、まず対向形成されている一対の正面板１１と、背面板１２との上方に構成される閉じ合わせ部１１ａ、１２ａと、その上方に伸びた門型の把手片２１、２２とにより構成される。
そして、この把手片２１、２２は門型であることに因みその内側はほぼ四角形状に切り抜かれ指掛孔２３が形成される。
そして、一例として背面板１２側の閉じ合わせ部１２ａの上方には、正面板１１側と同様に指掛孔２３が切り抜かれているが、図２に示すようにその四角形状の下端部の一部を残存させて、閉鎖フラップ１２ｂを設けている。この閉鎖フラップ１２ｂの先端部には図２、図３に示すような抜け出し防止のロック作用を奏するくびれ部Ｈを備えた差込部１２ｃを有する。
一方、この閉鎖フラップ１２ｂの差込部１２ｃを受け入れるための差込孔１１ｃが閉じ合わせ部１１ａに設けられている。なお、閉鎖フラップ１２ｂを設ける面は、背面板側にとらわれる必要はなく正面板１１側の閉じ合わせ部１１ａ側に設けても差支えはない。
【００１８】
次に前記妻面板１３の上部に設けられた横折線Ｍ２よりも上方にはギャザー部３を設けるものであって、このギャザー部３には、横折線Ｍ２上のそれぞれ各両下隅部から中央上部に向かってギャザー部折込用の斜め折線Ｎを対設するものであり、この斜め折線Ｎによって前記妻面板１３の上部に設けたられた横折線Ｍ２に上方で連接するように二等辺三角形状の折込案内面３１が区画形成される。
更にこの折込案内面３１の頂点から上方に向けてギャザー中心の縦折線Ｌ８が形成され、これによって一対の閉じ合わせ折込部３２が形成される。
なお、対向する妻面板１４の上部横折線Ｍ１の上方も、これと同様に折込案内面３１、閉じ合わせ折込部３２を具える。
【００１９】
次に、カートンブランクＢの下方において横折線Ｍ１によって仕切られて構成される底部４について簡単に説明する。この底部４は、種々の底部構造が取り得るが、例えば図２に示すようないわゆる組底と呼ばれるものや、図示は省略するが一般的なキャラメル箱のようなロック付の差込蓋などが適応し得る。なお、図１に示す実施例のようなカートンブランクＢと一体として副収容フラップ１５を連接している場合は、正面板１１に本来具えるべき組底タイプを適用した底部４蓋の構成要素の一部を、正面板１１の外側に覆い被せられる副収容フラップ１５の下端部に具える。
【００２０】
次に副収容フラップ１５について説明する。この副収容フラップ１５は、副収容部５を実質的に形成する部材であって、正面板１１に覆い被せられるように設けられている。本実施例では、図２に示すようにカートンブランクＢの妻面板１３に連接するように副収容フラップ１５が設けられ、更にその端部には副収容フラップ１５を固定するための差込片１５ａが設けられている。なお図４に示すように、この差込片１５ａの差込孔１２ｄを他方の妻面板１３の背面板１２よりの端部に設けていることから、この差込片１５ａと副収容ラップ１５とを連結するための連結面１５ｂを設けている。この差込片１５ａの形状は、図２に示すように差込孔１２ｄの長さとほぼ同じ程度の長さの先端部をであって、抜け防止のためにそれよりも若干長くなるように徐々に広がりつつ、再び連結面１５ｂと連結部近くで差込孔１２ｄの長さになるようなくびれ部Ｈを有する形状である。この差込片１５ａは、連結面１５ｂの上方部に設けることが好ましい。
この副収容フラップ１５の形状は、一例として妻面板１３に連接している端部から、円弧状の曲線を描きながら徐々に進むにつれてその高さを低くしていく形状のもので、この副収容フラップ１５の正面視下方部には清め塩Ｓを入れた包みを収納するためポケット部１５ｃを実質的に構成し、且つポケット部上端の差込口となるスリット１５ｄを具えている。
【００２１】
なお、カートンブランクＢを構成する各要素のレイアウトについては、図２に示すほかにも種々のパターンが考えられるが、その組み立てた状態において同様の形態を取り得るものであれば適宜選択的に採用し得るものである。
【００２２】
このようなブランク形状を有するカートンブランクＢは、サイドシールフラップ１６において角筒状となるべくサック貼りされ、まず底部４が適宜封じられて、上部が開口したカートン形状を構成する。もちろん実際にはカートンブランクＢに打ち抜かれた後、サック貼りされた状態で、平板状に二つ折り等の状態にされて集積され、包装作業を待機するような使用形態が一般的である。
もちろんこのような半ば完成した葬礼用包装体１は、カートンメーカーの工場内で梱包されて、返礼品Ｆの梱包作業を行う工場や店舗に供給される場合もある。
【００２３】
このように構成された結果の葬礼用包装体１について述べると、図１に示すように実質的に側部を構成する正面板１１、背面板１２、妻面板１３、１４がサック貼られたものを角筒状に起こすと、これらに囲まれたスペースが日用小物等の贈答品Ｇを収納するための主収容部Ｒとして形成される。
更にサック貼りされた妻面部１４の先に連接されている副収容フラップ１５を正面板１１の下半分を覆い被せるように巻きつかせて差込片１５ａを差込孔１２ｄに差込んで固定し、この副収容フラップ１５と正面板１１との隙間を礼状Ｃ等のシート状のものを収納するための副収容部５とする。
この状態で、更に底部４を適宜組上げ、更に図３（１）に示すように閉じ合わせ部１１ａ、１２ａの上部に設けられる把手片２１、２２を拝み合わせ状として把手部２とするものであり、このとき妻面部１３、１４の上方のギャザー部３は内折込されるものである。
【００２４】
次に、このものの利用方法について説明する。
通常、香典返しの返礼品Ｆには複数の種類の組み合わせがあり、適宜に品物を包装して一連の返礼品Ｆのセット用意する必要がある。まず、香典返し用の日用小物等から選ばれる贈答品Ｇを主収容部Ｒに収め、図３に示すように背面板１２の閉じ合わせ部１２ａの閉鎖フラップ１２ｂを正面板１１側に折返し正面板１１の差込孔１１ｃにその先端部の差込片１２ｄを差し入れて主収容部Ｒを閉じる。
更に、図１に示すように香典返し用の礼状Ｃ等を正面板１１の下側に設けられた副収容部５に挟むように収納させ、清め塩Ｓと呼ばれる包みを副収容フラップ１５の下方部のポケット１５ｃに差し入れて収納させる。
【００２５】
この葬礼用包装体１の把手部２を利用することにより多少の重量がかさむ贈答品Ｇを包装したとしても、携行時に落下し破損するようなこともなく容易に持ち運ぶことが可能である。
更に一枚の厚紙でできたカートンブランクＢの差込構造等を組み合し作られていることから、単一素材のみ構成されており資源としての再利用も容易に行える。
【００２６】
〔他の実施の形態〕
この上述した実施例のほかにも、以下のような実施の形態が取り得る。
副収容フラップ１５は、主収容部Ｒを構成する部材を連接したカートンブランクＢと一体化させず、図５（ａ）に示すように別途独立したカートンブランクＢ' として、組上げられた状態の葬礼用包装体１の正面板１１の中央部から下方部にかけて覆い被せるように取り付けることも可能である。この取り付けについては、図１のような差込片１５ａと差込孔１２ｄとを用いて組み合わせて固定するほか、図５（ｂ）に示すような接着剤を用いて張り合わせて固定するなどの手法が取り得る。
また、図５（ｃ）に示すようなギャザー部３を具えず葬礼用包装体１も取り得る。この場合は、ギャザー部３が設けられているタイプに比べ密閉性では劣る面もあるが、製造過程でいくつかの工程を省くことができる上で生産コストを低く押えることもができる。
また図示を省略するが、ギャザー部３を無くし、且つ主収容部Ｒも箱状でなく平折り封筒上としてももとより差し支えない。
【図面の簡単な説明】
【００２７】
【図１】本発明の葬礼用包装体の形態を示す説明図である。
【図２】本発明のカートンブランクを示す説明図である。
【図３】同上葬礼用包装体上部の閉緘の順序を示す説明図である。
【図４】葬礼用包装体の副収容フラップの取付部の説明図ある。
【図５】同上葬礼用包装体の他の実施例を示す側面図である。
【符号の説明】
【００２８】
１            葬礼用包装体
１１          正面板
１１ａ        閉じ合わせ部
１１ｃ        差込孔（閉鎖プラップ１２ｂ用）
１２          背面板
１２ａ        閉じ合わせ部
１２ｂ        閉鎖フラップ
１２ｃ        差込部
１２ｄ        差込孔（副収容フラップ１５用）
１３          妻面板
１４          妻面板
１５          副収容フラップ
１５ａ        差込片
１５ｂ        連結片
１５ｃ        ポケット
１５ｄ        スリット
１６          サイドシールフラップ
２            把手部
２１          把手片
２２          把手片
２３          指掛孔
３            ギャザー部
３１          折込案内面
３２          閉じ合わせ折込部
４            底部
５            副収容部
Ｂ            カートンブランク
Ｈ            くびれ部
Ｒ            主収容部
Ｌ１〜Ｌ８    縦折線
Ｍ１〜Ｌ３    横折線
Ｎ            斜め折線
Ｃ            礼状
Ｇ            贈答品
Ｓ            清め塩
Ｆ            返礼品
【図１】
2005186978.tif 000003
【図２】
2005186978.tif 000004
【図３】
2005186978.tif 000005
【図４】
2005186978.tif 000006
【図５】
2005186978.tif 000007